(57)【特許請求の範囲】
【請求項１】
環状の親バーナと、その親バーナの中央に位置し親バーナより小型の子バーナとを備え、火力調節を行う回転操作式の火力調節つまみを消火位置から所定の角度回して両バーナに点火を行う点火位置と、この点火位置を超えて更に火力調節つまみを回動させることにより親バーナを消火させると共に子バーナの火力を絞るガスコンロ装置において、上記点火位置から更に火力調節つまみを回動させる範囲内であって、親バーナの火力が逆火が発生する所定の小火状態から消火状態になるまでの範囲を親バーナについての逆火領域として、この逆火領域内で火力調節つまみが停止しないように、停止禁止機構を設けたことを特徴とするガスコンロ装置。
【請求項２】
上記停止禁止機構として、上記火力調節つまみの回動軸は、回動軸の回動軸線に沿って往復移動自在で、かつ手前方向に常に付勢されており、この回動軸に、上記回動軸線に対して直角方向にピンを突設し、このピンが回動軸に作用している付勢力に抗して乗り越える山型の突起を、上記逆火領域に対応させて形成して、回動軸の回転角度が逆火領域内にある状態では上記ピンが突起に接しており、上記付勢力によってピンを介して回動軸を逆火領域外に強制的に回動させるようにしたことを特徴とする請求項１に記載のコンロ装置。
【発明の詳細な説明】
【技術分野】
【０００１】
本発明は、環状の親バーナと、その親バーナの中央に位置し親バーナより小型の子バーナとを備えたガスコンロ装置に関する。
【背景技術】
【０００２】
ガスコンロ装置に備えられたガスバーナに対して最大燃焼量、すなわち最大火力を大きくする要請がある。最大火力を大きくするためにはバーナを大型化すればよいが、バーナを大きくすると火力を絞った際に火力が安定せず、また炎がバーナの炎孔からバーナ本体内に入り込み、バーナ本体内で燃焼し続ける逆火という現象が生じる恐れがある（例えば、特許文献１参照）。
【０００３】
このような不具合を解消するため、最大燃焼量が大きい比較的大型の親バーナと、その親バーナよりも小型の子バーナとの２個の親子バーナを備えたガスコンロ装置が多数提案されている（例えば、特許文献２参照）。
【０００４】
このような親子バーナを備えたガスコンロ装置では、例えば小さい火力で煮物料理を行う際には、親バーナの火力を絞って消火させ、子バーナのみを着火状態にして使用する。
【先行技術文献】
【特許文献】
【０００５】
【特許文献１】特開２００３−２８４２８号公報（段落０００５）
【特許文献２】特開２００６−２９７２７号公報（図１）
【発明の概要】
【発明が解決しようとする課題】
【０００６】
親バーナは比較的大型のバーナであるため、火力を絞っていくと、親バーナの炎孔からのガスの噴出速度が低速になり、ガスの燃焼速度に対して噴出速度が遅くなると逆火しやすくなる。炎孔の周囲の温度が高温でなければ炎が炎孔を通ってバーナ本体内に入ろうとしても炎孔の周りに熱を奪われて消火されるが、強火で長時間調理を行った後の状態のように炎孔の周囲が高温になっていると、炎が消火されずに炎孔を通ってバーナ本体内に入ってしまう、逆火現象が起きやすくなる。
【０００７】
但し、調理終了の際のようにバーナを消火させる直前で逆火が生じたとしても、その直後にバーナへのガスの供給自体が停止するので逆火は生じない。
【０００８】
ところが、上記親子バーナを備えたガスコンロ装置特有の問題として、親バーナを消火して子バーナのみを燃焼状態にして調理を継続する際に、親バーナの火力を絞る途中で親バーナに逆火が生じ、かつ親バーナへのガスの供給が完全に停止されず微少ながらガスの供給が継続する状態が発生すると、親バーナのバーナ本体内で燃焼が継続することとなり、望ましくない。
【０００９】
そこで本発明は、上記の問題点に鑑み、親子バーナを備えたガスコンロ装置で、親バーナのバーナ本体内で燃焼が発生することのないガスコンロ装置を提供することを課題とする。
【課題を解決するための手段】
【００１０】
上記課題を解決するために本発明によるガスコンロ装置は、環状の親バーナと、その親バーナの中央に位置し親バーナより小型の子バーナとを備え、火力調節を行う回転操作式の火力調節つまみを消火位置から所定の角度回して両バーナに点火を行う点火位置と、この点火位置を超えて更に火力調節つまみを回動させることにより親バーナを消火させると共に子バーナの火力を絞るガスコンロ装置において、上記点火位置から更に火力調節つまみを回動させる範囲内であって、親バーナの火力が逆火が発生する所定の小火状態から消火状態になるまでの範囲を親バーナについての逆火領域として、この逆火領域内で火力調節つまみが停止しないように、停止禁止機構を設けたことを特徴とする。
【００１１】
親バーナの火力を絞っていき、火力が所定の火力より小さくなると逆火が生じる恐れがある。そこで、逆火が生じる可能性があり、かつ親バーナへのガスの供給が継続されている範囲を逆火領域として、この逆火領域内で火力調節つまみが停止しないようにすることにより、逆火が生じないようにした。
【００１２】
なお、具体的には、上記停止禁止機構として、上記火力調節つまみの回動軸は、回動軸の回動軸線に沿って往復移動自在で、かつ手前方向に常に付勢されており、この回動軸に、上記回動軸線に対して直角方向にピンを突設し、このピンが回動軸に作用している付勢力に抗して乗り越える山型の突起を、上記逆火領域に対応させて形成して、回動軸の回転角度が逆火領域内にある状態では上記ピンが突起に接しており、上記付勢力によってピンを介して回動軸を逆火領域外に強制的に回動させるようにすることが考えられる。
【発明の効果】
【００１３】
以上の説明から明らかなように、本発明は、火力調節つまみを親バーナで逆火が生じる逆火領域内に停止させることなく、この逆火領域から外れるように移動させるので、逆火が発生しない。
【図面の簡単な説明】
【００１４】
【図１】本発明の一実施の形態の構成を示す図
【図２】親子バーナの斜視図
【図３】ガスコックの斜視図
【図４】親子バーナの各々の火力の変化を示す図
【図５】火力調節つまみの各ポジションでの火力状態を示す図および表
【図６】ガスコックの分解図
【図７】回動軸に設けたピンの挙動を示す図
【図８】第２の実施形態を示す図
【図９】第３の実施形態を示す図
【発明を実施するための形態】
【００１５】
図１を参照して、１は本発明によるガスコンロ装置の一例である。このコンロ装置１はいわゆる二口コンロであって天板に２個のガスバーナ２を有しており、各々のガスバーナ２の火力調節は天板に設けられた火力調節つまみ１１を回動することによって行われる。
【００１６】
図２を参照して、各ガスバーナ２は環状の親バーナ２１と、その親バーナ２１の中央に位置するように設けられた子バーナ２２とから構成されている。両バーナ２１，２２共に外周に炎孔が形成されている。また、親バーナ２１に対して子バーナ２２は最大燃焼量が小さい小型に設定されている。但し、子バーナ２２の最大燃焼量は親バーナ２１の最大燃焼量よりも小さいが、子バーナ２２の最小燃焼量は親バーナ２１の最小燃焼量よりも小さく設定されており、親バーナ２１の最大燃焼量から子バーナ２２の最小燃焼量までの幅は単独のガスバーナの場合より広くなるように設定されている。
【００１７】
図３から図５を参照して、上記火力調節つまみ１１の回転角度に対する各バーナ２１，２２の火力の推移を説明する。３はガスコックであって、火力調節つまみ１１が取り付けられている回動軸３１はほぼ１８０度の範囲で回動することができる。両バーナ２１，２２が消火状態である消火位置を０度として、火力調節つまみ１１を左方向に回動すると、約９０度あたりに点火位置が設置されている。消火位置からこの点火位置までは、両バーナ２１，２２に対して共にガスの供給量がゼロの状態から最大燃焼量に相当する量まで順次増加する。すなわち、火力調節つまみ１１が点火位置に到達した時点では、両バーナ２１，２２共に最大燃焼量に相当するガス量が供給されている。そして、点火位置では可動板３３に押されてマイクロスイッチ３２がオンし、図外のスパーカが作動して親バーナ２１に点火が行われ、更にほぼ同時に親バーナ２１から子バーナ２２に火移り点火が行われる。
【００１８】
点火位置で火力調節つまみ１１はそれ以上左方向へ回動できないように一旦ロックがかかるが、火力調節つまみ１１から手を離すとそのロックは解除され更に左方向に回動できる状態になる。点火位置から火力調節つまみ１１を右方向に戻すと、両バーナ２１，２２の火力は共に減少していき、消火位置で両バーナ２１，２２は消火状態になる。一方、点火位置から更に火力調節つまみ１１を左方向に回動すると、まず親バーナ２１の火力が連続して絞られて小さくなり、最終的には消火する。また、親バーナ２１が消火したあと、火力調節つまみ１１を更に左方向に回動すると、子バーナ２２の火力が連続して小さくなり、子バーナ２２の最小燃焼状態（ＭＩＮ）になる。そして、このＭＩＮの位置から火力調節つまみ１１はそれ以上左方向に回動できなくなる。
【００１９】
点火位置から火力調節つまみ１１を更に左方向に回動して親バーナ２１の火力が絞られて所定の火力まで絞られると逆火が発生する。そこで、その逆火が生じる火力から親バーナ２１が消火するまでの間を親バーナ２１の逆火領域と設定した。
【００２０】
但し、図４に示すように、火力調節つまみ１１を左回転させ、その後右回転させると、若干の遊びのためヒステリシスが生じる。例えば、親バーナ２１を点火位置である大火状態から火力調節つまみ１１を左方向に回動すると、火力は図４の実線で示すように減少していく。このとき逆火が生じる領域をＢＦＬで示す。このＢＦＬを通過した後、火力調節つまみ１１を右方向に戻す際には火力は破線で示すように増加する。そのときに逆火が生じる範囲をＢＦＲで示す。本発明で言う逆火領域とは、ＢＦＬとＢＦＲとの双方を包含する範囲を言う。
【００２１】
そして本発明は、火力調節つまみ１１がこの逆火領域を左回転時および右回転時の双方共に通過する際に、逆火領域内で火力調節つまみ１１から手を離しても火力調節つまみ１１が逆火領域内で停止せずに、逆火領域外まで右回転、もしくは左回転して移動するようにしたことを特徴とする。
【００２２】
具体的な構成について、図３、図６、および図７を参照して説明する。回動軸３１であり上方に向かって突出しており、上述のように、この回動軸３１に上記火力調節つまみ１１が取り付けられている。従って、火力調節つまみ１１を左方向に回動すると、この回動軸３１も同時に左方向に回動する。右方向への回動時も同様である。
【００２３】
このガスコック３の基本的な機構は従来知られており、消火位置から火力調節つまみ１１を左方向へ回動する際には，まず最初に回動軸３１を下方に押し込む必要がある。すなわち、この回動軸３１は周知の構造により上下方向に移動自在であって、かつ常に上方に向かって付勢されている。消火位置から回動軸３１を下方に押し込み、押し込んだままの状態で火力調節つまみ１１を左方向に回動すると、約９０度回動した時点で火力調節つまみ１１はそれ以上左方向に回動できなくなると共に、マイクロスイッチ３２がオンされ、図外のスパーカが作動する。このスパーカの作動により上述のように両バーナ２１，２２に点火される。
【００２４】
点火位置で火力調節つまみ１１から手を離すと、回動軸３１は付勢力で上方に戻されると共に仮のロックが解除され、更に左方向へ回動できる状態になる。回動軸３１には、ピン３５が、回動軸３１の回動軸線に対して直角方向に打ち込まれており、このピン３５が上記可動板３３を移動させることによりマイクロスイッチ３２がオンされる。
【００２５】
本実施の形態では、点火位置から火力調節つまみ１１を更に左方向に回動すると、このピン３５が当接する山型の突部３４を、ガスコック３内に設けた。但し、本実施の形態では図７に示すように、火力調節つまみ１１が逆火領域に到達する前にピン３５が突部３４に当接し、突部３４を完全に乗り越えると、逆火領域を少し通り過ぎた位置になるように設定した。逆火領域の端部で火力調節つまみ１１を停止させるようにしてもよいが、その位置では親バーナ２１の個体のバラツキ等によって逆火が生じる可能性がゼロとは言い難い。そのため、火力調節つまみ１１の往復移動時共に、逆火領域にさしかかる少し手前でピン３５が突部３４に当接するようにした。
【００２６】
このような構成では、逆火領域の前半ではピン３５は突部３４の頂点に向かって移動し、後半では頂点から離れる方向に移動する。回動軸３１は上述のように上方に常に付勢されているので、逆火領域の前半で火力調節つまみ１１から手を離すと、ピン３５は突部３４の斜面に沿って戻り、逆火領域の後半で手を離すとピン３５はもう一方の斜面に沿って進むことになる。すなわち、逆火領域内で火力調節つまみ１１から手を離すと、火力調節つまみ１１は自動的に逆火領域から出るように強制的に回動される。なお、火力調節つまみ１１をＭＩＮ位置から戻す際も同様に火力調節つまみ１１は強制的に回動されて逆火領域内で停止することはない。
【００２７】
このように、回動軸３１に対して常に上方に向かって作用する付勢力を利用して火力調節つまみ１１が逆火領域内で停止しないようにしたが、他の構成を適用してもよい。
【００２８】
例えば、図８を参照して、回動軸３１に回転軸線に対して直角方向に進退するノッチ４とそのノッチ４を外側に付勢するバネ４１とを設け、回動軸３１を囲繞する部材に半径方向内側に突出する突起３６を設けてもよい。本構成では、回動軸３１が前後方向に移動しないタイプのガスコックに本発明を適用することができる。
【００２９】
また、図９を参照して、回動軸３１に板状のバネ板５を取り付けてもよい。この実施形態では、回動軸３１を点火位置から更に左方向に回動すると、逆火領域に到達する直前でバネ板５の先端が突部３６に当接する。その状態から少し火力調節つまみ１１を左方向に回しても、バネ板５の先端が突部３６の頂点を超えるまでは火力調節つまみ１１から手を離すとバネ板５の復元力で回動軸３１は右方向に戻される。更に火力調節つまみ１１を左方向に回し、バネ板５の先端が突部３６の頂点を超えれば回動軸３１が右方向に戻ることはないが、その時点で逆火領域を少し通り過ぎている。なお、その逆火領域を通り過ぎた状態から点火位置方向に戻す場合も同様に、逆火領域内ではバネ板５の復元力によって回動軸が左方向、すなわちＭＩＮ位置側に戻されることによって逆火領域内で回動軸３１が停止することがない。
【００３０】
なお、本発明は上記した形態に限定されるものではなく、本発明の要旨を逸脱しない範囲内において種々の変更を加えてもかまわない。
【符号の説明】
【００３１】
１  ガスコンロ装置
２  ガスバーナ
１１  火力調節つまみ
２１  親バーナ
２２  子バーナ
３  ガスコック
【図１】
0005208235.tif 000002
【図２】
0005208235.tif 000003
【図３】
0005208235.tif 000004
【図４】
0005208235.tif 000005
【図５】
0005208235.tif 000006
【図６】
0005208235.tif 000007
【図７】
0005208235.tif 000008
【図８】
0005208235.tif 000009
【図９】
0005208235.tif 000010